(57)【特許請求の範囲】
【請求項１】
ブラシと前記ブラシに固定されるピグテールと前記ピグテールに取付けられるブラシ側雌端子とを備えた複数のブラシアッセンブリと、前記ブラシ側雌端子が接続される複数の電源側雄端子と、を有する整流子電動機を備える電動工具において、
前記電源側雄端子は、所定量離間して並んで配置されており、
前記電源側雄端子に接続される前記ブラシ側雌端子間には、前記ブラシ側雌端子を介して前記電源側雄端子を互いに離間させる方向に付勢する付勢部材が設置されていることを特徴とする電動工具。
【請求項２】
前記付勢部材は、弾性部材からなることを特徴とする請求項１に記載の電動工具。
【請求項３】
前記電源側雄端子は、互いに離間する方向への移動に対して復帰力を持つように形成されており、
前記付勢部材の設置によって、前記ブラシ側雌端子が接続された前記電源側雄端子は、互いに離間する方向へ移動するように構成されていることを特徴とする請求項１又は２に記載の電動工具。
【請求項４】
前記付勢部材の設置位置を規定する規定部が設けられていることを特徴とする請求項１から３のいずれか一項に記載の電動工具。
【請求項５】
前記付勢部材は、着脱可能に設置されていることを特徴とする請求項１から４のいずれか一項に記載の電動工具。
【発明の詳細な説明】
【技術分野】
【０００１】
本発明は、整流子電動機を備えた電動工具に関し、特に、ブラシへ給電するための端子構造に関する。
【背景技術】
【０００２】
一般的に、整流子電動機は、ブラシホルダに収容されるブラシと、ブラシに固定されるピグテールと、ピグテールに取付けられるブラシ側端子とを備えた複数のブラシアッセンブリを備えており、ブラシ側端子が電源側端子に接続されることで、ピグテールを介してブラシへの給電が実行される。
【０００３】
ブラシ側端子としては、一般的にファストン端子と呼ばれるような雌端子を採用する場合がある。この場合、電源側端子は、この雌端子と抜き差し接続可能な雄端子となる（例えば、下記特許文献１参照）。
【先行技術文献】
【特許文献】
【０００４】
【特許文献１】特開２００１−１４５３０８号公報
【発明の概要】
【発明が解決しようとする課題】
【０００５】
上述の構成においてブラシアッセンブリを交換する場合は、ブラシ側端子である雌端子を電源側端子である雄端子に差し込んで接続することになるが、このときに無理な力が加えられると端子が変形する場合があった。この変形によって端子同士の接触力が弱まると、電動工具使用時の振動によって接続不良が発生することがあった。
【０００６】
本発明は、上述した課題の存在に鑑みてなされたものであって、その目的は、ブラシ部における端子の接続不良を防止することができる電動工具を提供することである。
【課題を解決するための手段】
【０００７】
本発明に係る電動工具は、ブラシと前記ブラシに固定されるピグテールと前記ピグテールに取付けられるブラシ側雌端子とを備えた複数のブラシアッセンブリと、前記ブラシ側雌端子が接続される複数の電源側雄端子と、を有する整流子電動機を備える電動工具であって、前記電源側雄端子は、所定量離間して並んで配置されており、前記電源側雄端子に接続される前記ブラシ側雌端子間には、前記ブラシ側雌端子を介して前記電源側雄端子を互いに離間させる方向に付勢する付勢部材が設置されていることを特徴とする。
【０００８】
本発明に係る電動工具においては、前記付勢部材は、弾性部材とすることができる。
【０００９】
また、本発明に係る電動工具においては、前記電源側雄端子は、互いに離間する方向への移動に対して復帰力を持つように形成されており、前記付勢部材の設置によって、前記ブラシ側雌端子が接続された前記電源側雄端子は、互いに離間する方向へ移動するように構成することができる。
【００１０】
さらに、本発明に係る電動工具においては、前記付勢部材の設置位置を規定する規定部を設けることができる。
【００１１】
また、さらに、本発明に係る電動工具においては、前記付勢部材を着脱可能に設置することができる。
【発明の効果】
【００１２】
本発明によれば、ブラシ部における端子の接続不良を防止することができる電動工具を提供することができる。
【図面の簡単な説明】
【００１３】
【図１】本発明の実施形態に係る電動工具の側面外観図である。
【図２】本発明の実施形態に係る電動工具の縦断面図の要部である。
【図３】本発明の実施形態に係る電動工具を後方から見た図の要部であって、テールカバーを透視した状態を示している。
【図４】本発明の実施形態に係る電動工具を後方から見た斜視図の要部であって、テールカバーを透視した状態を示している。
【図５】図２におけるＡ−Ａ断面の要部を示す図である。
【図６】図３におけるＢ−Ｂ断面の要部を示す図である。
【図７】本発明の別の実施形態に係る電動工具を示す図であって、図６に相当する図である。
【発明を実施するための形態】
【００１４】
以下、本発明を実施するための好適な実施形態について、本発明を電動工具の一種であるインパクトドライバに採用した場合について図面を用いて説明する。なお、以下の実施形態は、各請求項に係る発明を限定するものではなく、また、実施形態の中で説明されている特徴の組み合わせの全てが発明の解決手段に必須であるとは限らない。
【００１５】
まず、図１〜図４を参照して本発明の実施形態に係る電動工具であるインパクトドライバについて説明する。
【００１６】
ここで、図１は本発明の実施形態に係る電動工具の側面外観図であり、図２は本発明の実施形態に係る電動工具の縦断面図の要部である。図３は本発明の実施形態に係る電動工具を後方から見た図の要部であって、テールカバーを透視した状態を示している。図４は本発明の実施形態に係る電動工具を後方から見た斜視図の要部である。また、本明細書では、図中に示すように「前、後、左、右、上、下」を規定して説明する。
【００１７】
図１〜図４に示されるように、本発明の実施形態に係る電動工具であるインパクトドライバ１は、整流子電動機２０及び駆動部伝達部１５を収容する本体部１０と、本体部１０から下方に延びるハンドル部６０とを備えて構成されている。ハンドル部６０の上部前側には、インパクトドライバ１を運転するためのトリガースイッチ６１が設けられており、ハンドル部６０の下部には、電池パック（不図示）が着脱可能に装着される電池パック装着部６２が設けられている。本体部１０の前部にはドライバビット等の作業工具が取り付けられる工具取付部５０が前方に突出して設けられている。なお、本実施形態のインパクトドライバ１の基本構成は従来公知のものなので、さらに詳細な説明は省略する。
【００１８】
インパクトドライバ１は、その外郭をなすハウジングとして、左右二つ割り構成の左右ハウジング５１，５２と、左右ハウジング５１，５２の後方に接続されるテールカバー５３とを備えている。左右ハウジング５１，５２とテールカバー５３は、樹脂により形成されている。
【００１９】
整流子電動機２０は、後部に整流子２２が設けられた回転子２１が軸線を前後方向として本体部１０に収容されている。整流子２２には２つのブラシ４１，４１が摺接している。回転子２１の後端軸部は、ハウジング５１，５２の後部に固定されたブラシホルダベース２３のベアリング支持部２４に取付けられたベアリング２５に回転自在に軸支されている。また、ブラシホルダベース２３には、ブラシ部３０が設置されている。
【００２０】
以上、本発明の実施形態に係る電動工具であるインパクトドライバ１の概略構造について説明した。次に、ブラシ部３０の構成について説明する。
【００２１】
ブラシ部３０は、図３及び図４に示されるように、ブラシホルダベース２３に取付けられるブラシホルダ３１と、ブラシホルダ３１のブラシ収容部３２に収容されるブラシ４１を有するブラシアッセンブリ４０と、ブラシ４１を整流子２２に向かって押圧するバネ３６とを備えている。ブラシアッセンブリ４０は、ブラシ４１と、ブラシ４１に固定される導線としてのピグテール４２と、ピグテール４２の端部に取付けられるブラシ側雌端子４３とで構成されている。また、ブラシホルダ３１、ブラシアッセンブリ４０及びバネ３６は、回転子２１の中心の下方側において、その中心線を通る上下方向の平面に対して概ね左右対称に配置されている。
【００２２】
次に、図５及び図６を参照図に加えて、ブラシ部３０の特徴部分について説明する。ここで、図５は図２におけるＡ−Ａ断面の要部を示す図であり、図６は図３におけるＢ−Ｂ断面の要部を示す図である。
【００２３】
ブラシホルダ３１は、ブラシホルダベース２３の後面に当接する板状のベース３３と、略直方体のブラシ４１を収容し、ブラシ４１を整流子２２に向かって案内する筒状のブラシ収容部３２と、ブラシホルダベース２３の前面側に延設された電源と接続される電源供給部３５と、回転子２１の中心の下方において、ベース３３の端部から後方に向かって立設された板状の電源側雄端子３４とを有している。これらの部材は、導電材によって製造されている。電源側雄端子３４にはブラシアッセンブリ４０のブラシ側雌端子４３が抜き差し可能に接続される。ブラシ側雌端子４３は、弾性を有する導電材からなり、一般的にファストン端子と呼ばれるような構造が採用されている。すなわち、ブラシ側雌端子４３は、板状の電源側雄端子３４へ差し込んだ状態で、その弾性力によって電源側雄端子３４を挟持するように形成されている。そして、この挟持によって電源側雄端子３４とブラシ側雌端子４３との接触が維持される。したがって、電源供給部３５によってブラシホルダ３１へ供給された電力は、電源側雄端子３４からブラシ側雌端子４３とピグテール４２を経てブラシ４１へと供給されることとなる。
【００２４】
図５によく示されるように、左右それぞれのブラシホルダ３１，３１が有する電源側雄端子３４，３４は、所定量離間して左右方向に並んで略平行に配置されている。そして、これらの電源側雄端子３４，３４に、ブラシアッセンブリ４０，４０のブラシ側雌端子４３，４３がそれぞれ後方から前方に向かって差し込まれる。
【００２５】
電源側雄端子３４，３４に差し込まれたブラシ側雌端子４３，４３は、互いに所定量離間しており、ブラシ側雌端子４３，４３の間には付勢部材としての弾性部材４４が着脱可能に押し込んで設置されている。弾性部材４４は、絶縁性を有するゴム材からなる部材であり、自然状態では、ブラシ側雌端子４３，４３の間の距離より大きい直径を有する円柱形状として形成されている。弾性部材４４は、ブラシ側雌端子４３，４３の間に設置された状態では、ブラシ側雌端子４３，４３との当接によって所定量収縮変形した状態となっている。したがって、収縮変形に対する弾性部材４４の弾性復元力がブラシ側雌端子４３，４３を介して電源側雄端子３４，３４を互いに離間する方向へ付勢することとなり、ブラシ側雌端子４３，４３の電源側雄端子３４，３４への接触力を高めることができる。
【００２６】
また、ブラシホルダベース２３には、ブラシホルダベース２３の基部から後方に向かって突設された上側柱状凸部２６と下側柱状凸部２７が、ブラシ側雌端子４３，４３の間に設置された弾性部材４４の上方と下方にそれぞれ近接して形成されている。上側柱状凸部２６と下側柱状凸部２７が、弾性部材４４の設置位置を上下方向で規制する規制部となることで、弾性部材４４の設置位置からの離脱を効果的に防止することができる。
【００２７】
さらに、図６に示されるように、弾性部材４４の前方には、ブラシホルダベース２３の基部から後方に向かって突設された前側凸部２８が形成されており、弾性部材４４は、この前側凸部２８に当接して設置されている。また、テールカバー５３の弾性部材４４に対向する内面には、前方に向かって弾性部材４４の後端近傍まで突設された後側凸部２９が形成されている。前側凸部２８と後側凸部２９が、弾性部材４４の設置位置を前後方向で規制する規制部となることで、弾性部材４４の設置位置からの離脱を効果的に防止することができる。
【００２８】
以上のように、本発明の実施形態に係る電動工具であるインパクトドライバ１は、電源側雄端子３４，３４を所定量離間して左右方向に並んで略平行に配置し、電源側雄端子３４，３４に差し込まれたブラシ側雌端子４３，４３の間に、ブラシ側雌端子４３，４３を介して電源側雄端子３４，３４を互いに離間させる方向に付勢する弾性部材４４を設置する構成としたことで、ブラシ側雌端子４３，４３の電源側雄端子３４，３４への接触力を高めてブラシ側雌端子４３，４３と電源側雄端子３４，３４の接続状態をより安定させることができる。したがってインパクトドライバ１の使用時に発生する振動によって、ブラシ側雌端子４３，４３と電源側雄端子３４，３４とが接続不良を起こすことを防止できる。
【００２９】
また、上述の構成としたことで、ひとつの弾性部材４４で２箇所のブラシ側雌端子４３と電源側雄端子３４との接続部の接触力を高めることがで、弾性部材４４の設置数を削減することができる。すなわち、ひとつのブラシ側雌端子に対してひとつの弾性部材を設置する構成に対して、付勢部材である弾性部材の数を半数に削減することができる。したがって、装置の小型化に寄与することができる。
【００３０】
また、ブラシ側雌端子４３，４３の間に設置された付勢部材である弾性部材４４の上方、下方、前方、後方に、弾性部材４４の設置位置を規制するための上側柱状凸部２６、下側柱状凸部２７、前側凸部２８、後側凸部２９を配設したので、弾性部材４４の設置位置からの離脱を防止することができる。したがって、インパクトドライバ１の使用時に発生する振動等によって弾性部材４４が設置位置から離脱して、ブラシ側雌端子４３，４３と電源側雄端子３４，３４との接続不良が発生する可能性を排除できる。
【００３１】
なお、上述の実施形態においては、弾性部材４４は円柱形状としたが、これに限定されない。例えば、四角柱形状とするとも可能である。また、上述の実施形態においては、整流子電動機２０は、ブラシ４１を２つ備える構成のものであったが、これに限定されない。例えば、ブラシを４つ備える整流子電動機でもよい。この場合は、２つの電源側雄端子が所定量離間して並んで配置された箇所を２箇所設けることになる。
【００３２】
以上、本発明の実施形態に係る電動工具であるインパクトドライバについて説明した。次に、図７を参照して、本発明の別の実施形態に係るインパクトドライバについて説明する。なお、本発明の別の実施形態に係るインパクトドライバは、上述の実施形態に係る電動工具であるインパクトドライバの変形例であって、上述の実施形態に係る電動工具であるインパクトドライバとはブラシ部の構成のみが異なる。したがって、以下の説明は、ブラシ部の構成を中心に行うとともに、上述の実施形態と同様の部材については同じ符号を付し、説明を省略する場合がある。
【００３３】
ここで、図７は本発明の別の実施形態に係る電動工具を示す図であって、図６に相当する図である。
【００３４】
本発明の別の実施形態に係る電動工具であるインパクトドライバ１００のブラシ部１３０は、電源側雄端子１３４，１３４が所定量離間して左右方向に並んで配置されている。電源側雄端子１３４，１３４には、ブラシアッセンブリ４０，４０のブラシ側雌端子４３，４３が抜き差し可能に接続される。ブラシ側雌端子４３，４３の間には、ブラシ側雌端子４３，４３を介して電源側雄端子１３４，１３４を互いに離間させる方向に付勢する付勢部材であるスペーサ１４４が着脱可能に設置されている。スペーサ１４４は、絶縁性を有する材料によって形成されており、スペーサ１４４の設置によって、電源側雄端子１３４，１３４は、スペーサ１４４が設置されていない状態の初期位置に対して互いに離間する方向に移動している。すなわち、電源側雄端子１３４，１３４は、初期位置において平行状態として配置されており、スペーサ１４４の設置によって、後方に開いたハ字形状態に変形している。
【００３５】
電源側雄端子１３４，１３４は、弾性を有する導電材によって形成されており、互いに離間する方向への移動に対して、スペーサ１４４が設置されていない状態の初期位置に戻ろうとする復帰力が発生するように形成されている。この復帰力によって、電源側雄端子１３４，１３４のブラシ側雌端子４３，４３に対する接触力が高められるので、ブラシ側雌端子４３，４３と電源側雄端子１３４，１３４の接続状態をより安定させることができる。したがって、インパクトドライバ１００の使用時に発生する振動によって、ブラシ側雌端子４３，４３と電源側雄端子１３４，１３４とが接続不良を起こすことを防止できる。
【００３６】
なお、上述の別の実施形態においては、復帰力を発生させるために、電源側雄端子１３４，１３４が弾性を有する導電材によって形成されていたが、これに限定されない。例えば、バネ等の弾性部材によって、電源側雄端子が互いに離間する方向への移動に対して初期位置に戻ろうとする復帰力を持つように構成してもよい。すなわち、電源側雄端子が復帰力を持つようにできる構成であればよい。
【符号の説明】
【００３７】
１  インパクトドライバ、１０  本体部、１５  駆動部伝達部、２０  整流子電動機、２１  回転子、２２  整流子、２３  ブラシホルダベース、２４  ベアリング支持部、２５  ベアリング、２６  上側柱状凸部、２７  下側柱状凸部、２８  前側凸部、２９  後側凸部、３０  ブラシ部、３１  ブラシホルダ、３２  ブラシ収容部、３３  ベース、３４  電源側雄端子、３５  電源供給部、３６  バネ、４０  ブラシアッセンブリ、４１  ブラシ、４２  ピグテール、４３  ブラシ側雌端子、４４  弾性部材、５０  工具取付部、５１  ハウジング、５１  左右ハウジング、５２  ハウジング、５２  左右ハウジング、５３  テールカバー、６０  ハンドル部、６１  トリガースイッチ、６２  電池パック装着部、１００  インパクトドライバ、１３０  ブラシ部、１３４  電源側雄端子、１４４  スペーサ
【図１】
0006377518.tif 000002
【図２】
0006377518.tif 000003
【図３】
0006377518.tif 000004
【図４】
0006377518.tif 000005
【図５】
0006377518.tif 000006
【図６】
0006377518.tif 000007
【図７】
0006377518.tif 000008